(57)【要約】【課題】不正行為等による扉開放を確実に防止する。【解決手段】プランジャ３１を進退させるソレノイド３と、プランジャ３１により駆動される第１リンク部材４と、第１リンク部材４と連結部により連結されてスライド扉２を開閉移動させる第２リンク部材５とを備え、連結部は、ソレノイド３によりスライド扉２を開放移動させる時にのみ連結される開動作連結部４３，５５と、ソレノイド３によりスライド扉２を閉じ移動させる時にのみ連結される閉動作連結部４５ａ，５６ａとを備えており、第１および第２リンク部材４，５には、スライド扉２を不正に開放移動させようとした時にその不正開放移動を規制するロック連結部４５ｂ、５６ｂが形成されている。【選択図】        図３
2014124469.tif 000002
【特許請求の範囲】
【請求項１】
駆動源と、
前記駆動源により駆動される第１リンク部材と、
前記第１リンク部材と連結部により連結されてスライド扉を開閉移動させる第２リンク部材と
を備え、
前記連結部は、前記駆動源によりスライド扉を開放移動させる時にのみ連結される開動作連結部と、
前記開動作連結部とは異なる部位に形成されて、前記駆動源により前記スライド扉を閉じ移動させる時にのみ連結される閉動作連結部とを備えており、
また、前記第１および第２リンク部材には、前記スライド扉を不正に開放移動させようとした時にその不正開放移動を規制するロック連結部が形成されて、
前記駆動源により前記スライド扉を開放移動させる時には、
前記ロック連結部が連結解除された後に前記開動作連結部が連結作動するよう構成されており、
あわせて、前記ロック連結部は前記閉動作連結部に連続して形成されて、
閉動作連結部の連結解除後にロック連結部が連結されるように構成されている
ことを特徴とする遊技機の可変入賞装置。
【請求項２】
前記駆動源はプランジャを進退させるソレノイドであり、
前記第１リンク部材は前記プランジャに取り付けられて当該プランジャと略直交する方向へ延びており、
前記第２リンク部材は軸部を有し、該軸部を中心に回動可能に設けられて、
その先端部が前記スライド扉の開閉移動方向へ回動移動するようになっており、前記軸部の軸方向の一方側に前記開動作連結部が形成されるとともに軸方向の他方側に前記閉動作連結部および前記ロック連結部が形成されており、
前記ロック連結部はその連結時には互いに当接するように構成されており、
この当接面が上記プランジャの進退方向に向けて延びるように形成されており、
該当接面が互いに当接することで前記第２リンク部材の回動を阻止するように構成されている
ことを特徴とする請求項１に記載の遊技機の可変入賞装置。
【請求項３】
前記第２リンク部材の軸部には、前記プランジャと一体的に進退移動する前記第１リンク部材が、前記進退移動の過程で進入する切欠きが形成されており、かつ装置ケースには前記第１リンク部材の先端部の移動を案内するガイド部が形成されていることを特徴とする請求項２に記載の遊技機の可変入賞装置。
【発明の詳細な説明】
【技術分野】
【０００１】
本発明は遊技機の可変入賞装置に関し、特に、スライド扉の開放規制機能を有する可変入賞装置に関する。
【背景技術】
【０００２】
この種の可変入賞装置は例えば特許文献１に示されている。ここでは第１大入賞口を開閉する開閉扉(スライド扉)をＴ字形の板体で構成してこれをスライド移動可能とし、Ｔ字の基部に形成した連結口に片体の先端が挿入されている。片体は軸本体の外周から突出しており、開閉ソレノイドを励磁した際のプランジャの移動に伴って上記軸本体が正転させられてこれと一体に回動する片体によって開閉扉が開放方向へ移動（開動作）させられる。開閉ソレノイドの励磁を解消すると、プランジャの周辺部に別途配設された戻りバネのバネ力によってプランジャが移動し、その移動に伴って上記軸本体が逆転させられて片体が戻り回動し、これに伴って開閉扉が閉鎖方向へ移動（閉動作）させられる。
【先行技術文献】
【特許文献】
【０００３】
【特許文献１】特開２００８−３０７３１５
【発明の概要】
【発明が解決しようとする課題】
【０００４】
しかし、上記従来のスライド扉式可変入賞装置では、プランジャに別途配設された戻りバネの戻りバネ力のみでスライド扉を閉鎖状態に保持しているため不正行為等によってスライド扉が開けられる可能性があるという問題があった。
【０００５】
そこで、本発明はこのような課題を解決するもので、不正行為等による扉開放を確実に防止できるスライド扉式可変入賞装置を提供することを目的とする。
【課題を解決するための手段】
【０００６】
上記課題を解決するために、本第１発明では、駆動源（３）と、前記駆動源（３）により駆動される第１リンク部材（４）と、前記第１リンク部材（４）と連結部により連結されてスライド扉（２）を開閉移動させる第２リンク部材（５）とを備え、前記連結部は、前記駆動源（３）によりスライド扉（２）を開放移動させる時にのみ連結される開動作連結部（４３，５５）と、前記開動作連結部（４３，５５）とは異なる部位に形成されて、前記駆動源（３）により前記スライド扉（２）を閉じ移動させる時にのみ連結される閉動作連結部（４５ａ，５６ａ）とを備えており、また、前記第１および第２リンク部材（４，５）には、前記スライド扉（２）を不正に開放移動させようとした時にその不正開放移動を規制するロック連結部（４５ｂ、５６ｂ）が形成されて、前記駆動源により前記スライド扉（２）を開放移動させる時には、前記ロック連結部（４５ｂ、５６ｂ）が連結解除された後に前記開動作連結部（４３，５５）が連結作動するよう構成されており、あわせて、前記ロック連結部（４５ｂ、５６ｂ）は前記閉動作連結部（４５ａ，５６ａ）に連続して形成されて、閉動作連結部（４５ａ，５６ａ）の連結解除後にロック連結部（４５ｂ、５６ｂ）が連結されるように構成されていることを特徴としている。
【０００７】
本第１発明の可変入賞装置は、駆動源によって発生する力によってのみ、スライド扉を開放移動させることを目的とした第１リンク部材と第２リンク部材との連結（開動作連結部）が確立され、また、駆動源によって発生する力によってのみ、スライド扉を閉じ移動させることを目的とした第１リンク部材と第２リンク部材との連結（閉動作連結部）が確立されるように構成されている。
そして、スライド扉を閉鎖した状態では、開動作連結部および閉動作連結部のいずれの連結部も、その連結の状態が解除されるように構成されている。これにより、スライド扉が閉じ状態にある場合において、仮に、その閉じ状態を不正に開放させようとする力がスライド扉（換言すれば、第２リンク部材）に加えられたとしても、その不正な力によっては、開動作連結部が連結されないように構成することができるので、スライド扉の開放作動が確実に回避される。
併せて、上記不正な力が加えられた場合には、ロック連結部のみが連結状態となり、該ロック連結状態のみがそのまま確実に連結維持されるように構成することができる。要は、ロック連結以外の連結動作が発生しない（換言すれば、スライド扉を開放させるための開連結動作が発生しない）ように構成することができるので、上記不正行為等による扉開放が確実に防止される。
また、第１リンク部材と第２リンク部材とに形成される開動作連結部と閉動作連結部は、
上記２つのリンク部材においてそれぞれ異なる部位に形成されている。これにより、両連結部の形成スペースを、それぞれ個別に比較的広く設けることができる。これにより、両連結部の設計の自由度が向上し、安定した連結機構を形成することができる。
また、駆動源によりスライド扉を開放移動させる時には、ロック連結部が連結解除された後に前記開動作連結部が連結作動するように構成されている。これにより、スライド扉の開放動作の過程において、ロック連結部が不適切に連結されるのを確実に防止することができ、安定したスライド扉の開放動作を行うことができる。
併せて、ロック連結部が閉動作連結部に連続して形成されているので、駆動源によりスライド扉を閉じ移動させる際には、閉動作からロック連結へ至る一連の連結動作の流れを滑らかに行うことができ、閉動作終了後のロック連結機能の完成を、安定的に確実に形成することができる。
なお、ここで上記「のみ連結される」とは、スライド扉を開放（閉じ）移動させることを目的として、駆動源を駆動させた際に、上記目的（開放移動、閉じ移動）を達成するための駆動源の力が働いたことにより、その連結が完成される行為を示す。よって、スライド扉の開放移動や閉じ移動の移動動作の過程において、例えば、上記駆動源の力に直接的（積極的）には作用されずに、偶発的な作用により、本来目的としない連結が発生したとしても、そのような連結は、本発明の「連結」の趣旨とは根本的に異なるので、上記のような連結行為が発生する可変入賞装置も本発明の技術思想の範囲に含まれる。
【０００８】
本第２発明では、前記駆動源はプランジャ（３１）を進退させるソレノイド（３）であり、前記第１リンク部材（４）は前記プランジャ（３１）に取り付けられて当該プランジャ（３１）と略直交する方向へ延びており、前記第２リンク部材（５）は軸部（５１）を有し、該軸部（５１）を中心に回動可能に設けられて、その先端部（５４）が前記スライド扉（２）の開閉移動方向へ回動移動するようになっており、前記軸部（５１）の軸方向の一方側に前記開動作連結部（４３，５５）が形成されるとともに軸方向の他方側に前記閉動作連結部（４５ａ，５６ａ）および前記ロック連結部（４５ｂ、５６ｂ）が形成されており、前記ロック連結部（４５ｂ、５６ｂ）はその連結時には互いに当接するように構成されており、この当接面が上記プランジャ（３１）の進退方向に向けて延びるように形成されており、該当接面が互いに当接することで前記第２リンク部材（５）の回動を阻止するように構成されている。
【０００９】
本第２発明によれば、上記駆動源の駆動構造を簡易的な構成で形成することができる。また、第１リンク部材はプランジャの進退移動に追従して進退移動するように構成されており、第２リンク部材は軸部を中心に回動移動するように構成されている。そして、第１リンク部材はプランジャと略直交する方向（換言すれば、プランジャの進退移動方向と略直交する方向）に向けて延びるように形成されている。
このように、異なる移動形態を有する２つのリンク部材が、当接連結によりロック連結されるように構成されており、あわせて、その連結される当接面が、プランジャの進退方向（第１リンク部材の進退方向）に向けて延びるように形成されている。
これにより、閉じ状態にあるスライド扉に対して、その閉じ状態を不正に開放させようとする力が加えられた時には、その不正な力は、第２リンク部材を回動させる力として作用するように構成される。然るに、その不正な回動力は、面接触を用いたロック連結構造により、面接触という比較的広い接触領域を利用して安定的に受け支えることができるので、結果として、上記不正な力の作用を適切に規制することができる。
併せて、上記のような当接面の形成構造により、第２リンク部材に発生する上記不正な回動力を、第１リンク部材に対しては、その進退方向とは略直交する方向に向けて積極的に作用するように構成することできる。
このような作用構成により、上記不正な回動力によって第１リンク部材が不適切に進退移動することを確実に防止することができる。
結果として、上記不正な力が作用しても、上記ロック連結状態を適切に連結維持し続けるよう構成することができるので、上記第２リンク部材の不適切な回動移動が確実に規制され、スライド扉の外力による強制開放が確実に阻止される。
【００１０】
本第３発明では、前記第２リンク部材（５）の軸部（５１）には、前記プランジャ（３１）と一体的に進退移動する前記第１リンク部材（４）が、前記進退移動の過程で進入する切欠き（５１１）が形成されており、かつ装置ケース（６）には前記第１リンク部材（４）の先端部（４２）の移動を案内するガイド部（６２）が形成されている。
【００１１】
本第３発明においては、第２リンク部材に切欠きを設けて、第１リンク部材が進退移動（特には開動作方向への移動）する際には、この切欠きに向けて第１リンク部材を進入させるようにしたから、可変入賞装置全体の構成（特には上下方向の寸法構成）をコンパクトにすることができる。そして、装置ケースに、第１リンク部材の先端部の移動を案内するガイド部を形成したから、プランジャに略直交して延びる第１リンク部材をその姿勢を適切に保って、円滑に進退移動させることができる。 
【００１２】
上記カッコ内の符号は、後述する実施形態に記載の具体的手段との対応関係を示すものである。
【発明の効果】
【００１３】
以上のように、本発明のスライド扉式可変入賞装置によれば、不正行為等による扉開放を確実に防止することができる。
【図面の簡単な説明】
【００１４】
【図１】本発明の可変入賞装置を備えたパチンコ遊技機の概略正面図である。
【図２】扉閉鎖状態における可変入賞装置の要部正面図である。
【図３】扉閉鎖状態における可変入賞装置の要部左側面図である。
【図４】扉閉鎖状態における可変入賞装置の要部右側面図である。
【図５】扉閉鎖状態における可変入賞装置の要部平面図である。
【図６】扉開放状態における可変入賞装置の要部左側面図である。
【図７】扉開放状態における可変入賞装置の要部右側面図である。
【図８】扉開放過程における可変入賞装置の要部左側面図である。
【図９】扉開放過程における可変入賞装置の要部右側面図である。
【発明を実施するための形態】
【００１５】
なお、以下に説明する実施形態はあくまで一例であり、本発明の要旨を逸脱しない範囲で当業者が行う種々の設計的改良も本発明の範囲に含まれる。
【００１６】
図１には本発明の可変入賞装置を備えたパチンコ遊技機の概略正面図を示す。図１において、遊技機には遊技盤１２が設置される前枠１３が設けられており、また遊技盤１２の前側にはガラス枠１１が配設されている。遊技盤１２上にはガイドレール１２１に区画されて略円形の遊技領域１２ａが形成されている。遊技領域１２ａの略中心には画像表示装置１２２が設けられ、その下方には始動入賞口１２３，１２４が、さらにその下方にはアウト球口１２５がそれぞれ設けられている。
【００１７】
遊技領域１２ａには画像表示装置１２２の左右位置にそれぞれ左側球流下通路１２６と右側球流下通路１２７が形成されており、これら通路１２６，１２７は始動入賞口１２３，１２４が位置する遊技領域１２ａの下部で合流している。そして、本発明の可変入賞装置Ｅが右側球流下通路１２７の下方位置に設けられている。なお、遊技盤１２上に設けられている他の役物等は図示を省略してある。
【００１８】
可変入賞装置Ｅの扉閉鎖状態における要部正面図を図２に示し、図３にはその要部左側面図を、図４にはその要部右側面図をそれぞれ示す。また、図５には可変入賞装置Ｅの扉閉鎖状態における要部平面図を示す。
【００１９】
図２、３において、可変入賞装置Ｅはスライド扉２を備えており、スライド扉２は正面向かって左方へ下り傾斜する扉部２１と当該扉部２１の後縁に沿って立設された本体部２２とを有している。このようなスライド扉２は、通常時においては、可変入賞装置Ｅの一部として別途形成される取付けベース板１４に設けられた開口部１２８から前方へ進出移動しており、上記可変入賞装置Ｅ内において、そのスライド扉２の下方の位置に形成される入賞口１５（図３）を閉鎖している。そして、閉鎖状態では、傾斜する扉部２１の上面２１ａは遊技球の流下流路として機能するように構成されており、上記左方下り傾斜形状により、上記遊技球を上記遊技領域１２ａの中央下方に向けて流下案内させるように構成されている。そして、スライド扉２は、大当り等の特別遊技が発生した場合には、後退移動して入賞口１５を開放するようになっている。そして、入賞口１５に入賞した遊技球は、入賞口１５の下流側の位置に配設された球検知ＳＷ１６により検出されるようになっている。
【００２０】
スライド扉２には、本体部２２における左右の側端部の上下面に、それぞれ前後の位置に計４つの略円弧断面をなして突出する凸条２２１，２２２が形成されて、それぞれガイド部となっている。そして、上記左右の側端部の下面側に形成される凸条２２１、２２２の円弧状先端が、可変入賞装置Ｅの取付けベース板１４に形成される開口部１２８の底面に常時当接してスライド扉２の円滑な前後動を保証している。また、上面側に形成される凸条２２１，２２２は、後側に位置する凸条２２２の突出高を前側に位置する凸条２２１よりも高く形成してある。このように、後側凸条２２２よりも前側凸条２２１の突出高さを低くしてあるのは、閉鎖時の扉部２１上に遊技球が載ってスライド扉２が前側の下方方向へ傾倒した際に、凸条２２１、２２２の円弧状先端が、両方共、開口部１２８の上面に当接してしまう状態を確実に防止するためであり、前記のような状態となる結果として、本体部２２に不要に過度な摩擦力が生じて、スライド扉２の開閉動作の妨げになるのを避けるためである。
【００２１】
スライド扉２の本体部２２上面の左右方向における中央位置にはガイド壁２３が起立形成されており、このガイド壁２３は、可変入賞装置Ｅの取付けベース板１４に形成される開口部１２８の上縁枠部の中央位置に形成された切欠き１２９内に進入位置している。切欠き１２９の左右内面には、ガイド壁２３の壁面に円弧断面の先端を近接させて凸条１３０が形成されており、これによって前後動（開閉動）時のスライド扉２の横振れが防止される。
【００２２】
さらに、開口部１２８の上縁枠部の前端には左右位置に下方へ壁状に突出するストッパ部１３１が形成してあり、一方、スライド扉２の本体部２２前面には上記ストッパ部１３１に対応する位置にストッパ凹所２２３が形成されて、スライド扉２が前進した際にストッパ部１３１の裏面側の壁面が、ストッパ凹所２２３の奥部に形成される垂直面に当接して扉閉鎖位置が確定されるようになっている。
【００２３】
スライド扉２の本体部２２には左右位置に矩形の抜き穴２２４が上下方向へ形成されて（図５）本体部２２の軽量化が図られている。また、スライド扉２の本体部２２の後側部の中間位置には後方（図５の上方）へ向けて矩形の係合部２４が突出形成されて、当該係合部２４には矩形の係合穴２４１が形成されている。
【００２４】
このようなスライド扉２を前後スライド移動（開閉移動）させる駆動機構は、図３に示すように、駆動源たるソレノイド３、第１リンク部材４および第２リンク部材５を備えている。図３はスライド扉２が閉鎖位置に位置させられている状態を示す。ソレノイド３に内蔵されたプランジャ３１は上下方向に直線移動(スライド移動)可能となっており、図３に示す状態では、ソレノイド３は電気的には無励磁の状態になっており、プランジャ３１の外周部に配設されたバネ部材３２の伸長付勢力によってプランジャ３１は下方の進出端へ突出させられている。
【００２５】
プランジャ３１の先端３１１は円板状に成形されている。そして上記円板状先端３１１を抱持するような空間を形成した第１リンク部材４の基部４１が、水平方向から先端３１１に差し込まれて固定されている。第１リンク部材４はプランジャ３１に対して略直交する水平方向へ延び、その先端部４２は第２リンク部材５の基端部５１の下方に位置している。可変入賞装置Ｅには、上記ソレノイド３、第１リンク部材４、第２リンク部材５が収納される装置ケース６が設けられており、該装置ケース６の底壁上には複数位置に、略球面をなして膨出する凸部６１が形成されており、バネ部材のバネ力で下方へ付勢された第１リンク部材４の下面が上記凸部６１に当接して位置決めされている。
【００２６】
第１リンク部材４の先端部４２は上方へ一定量突出するＬ字状に屈曲形成されている。そして、先端部４２の一方の側面の下縁部には、開動作連結部を構成する当接突起４３が側方へ向けて水平に突出形成されている。また、第１リンク部材４の先端部４２における上記上方へ突出形成された縦壁部４６（図２）の先端面には、上下位置に二箇所それぞれガイド突起４４が、前方へ向けて水平に突出形成されている。これらガイド突起４４は装置ケース６に形成された縦長の、ガイド部たるガイド孔６２内に位置させられている。
【００２７】
さらに第１リンク部材４の先端部４２の他方の側面には、閉動作連結部とロック連結部とが連続して形成される上下方向へ延びる当接突起４５（図２、図４）が形成されている。そして、当接突起４５において、円弧状に湾曲する下端面が閉動作当接面４５ａ（図４）となり、当接突起４５において、上記プランジャ３１の進退方向たる上下方向へ垂直に延びる（プランジャ３１の進退方向と略平行に延びる）裏側の側面がロック当接面４５ｂとなっている。第１リンク部材４はプランジャ３１の進退移動に伴って、これと一体に上下方向に進退移動（スライド移動）するが、この際にガイド突起４４がガイド孔６２の両側縁に規制されて横振れすることなく水平姿勢を保ったままスムーズに上下動させられる。また、上記のような構成により、第１リンク部材４は、前後方向に向けて所定寸法延びるような形状で形成され、併せて、その一方の端部である基部４１のみにソレノイド３の駆動力が付与される（すなわち、片持ち状態で力が加わる）ように形成されるが、上記のガイド突起４４とガイド孔６２とによる案内移動機構により、その他方の端部である先端部４２側も適切に進退移動するように形成されるので、結果として、第１リンク部材４の安定した進退移動を形成することができる。
【００２８】
第２リンク部材５は基部５１が側面視で略円形の軸部となっており、軸部５１の中心に突設された軸体５２によって装置ケース６に回動可能に支持されるとともに、正面視で略三角（図２）の板状本体５３が、基部５１から上方へ向けて延びている。そして第２リンク部材５の先端部５４はスライド扉２の係合穴２４１内に進入しており（図５）、第２リンク部材５が回動してその先端部５４が正逆回動するのに応じてスライド扉２は開閉前後動（開閉スライド移動）させられる。なお、第２リンク部材５は、上記のように板状本体５３が基部５１から上方へ向けて延びるような形状で形成されていることにより、スライド扉２が閉鎖位置に位置している状態（図３参照）においては、その重心の位置関係によって発生する自重の力により、スライド扉２を閉鎖させる方向に向けて付勢させるように、第２リンク部材５自体が回動付勢（図３における時計方向へ付勢）されるように構成されている。また、スライド扉２が開放位置に位置している状態（後述の図６参照）においては、それとは逆に、その重心の位置関係によって発生する自重の力により、スライド扉２を開放させる方向に向けて付勢させるように、第２リンク部材５自体が回動付勢（図６における反時計方向へ付勢）されるように構成されている。このように第２リンク部材５自らが自身の自重により回動付勢されるように構成されているので、例えば、無用な振動等により、スライド扉２を目的とは異なる方向へ向けて不要に移動させるような状況、力が発生したとしても、その不要な動作を規制する補助的な作用力を付与させることができ、スライド扉２の正規の開閉状態を適切に維持するよう構成することができる。
【００２９】
第２リンク部材５の軸部５１の、幅方向（正面視で左右方向）の中央部は上方へ逆Ｕ字状に抉られて切欠き５１１となっており、上方に空間を確保してここに上記第１リンク部材４の先端部４２の縦壁部４６の上側部分が位置している。なお、上記軸体５２は切欠き５１１を挟んで間隔をおいて左右対称位置にそれぞれ設けられている。
【００３０】
第２リンク部材５の軸部５１の一方の側には、周方向の一箇所から径方向外方へ向け第１リンク部材４の上記当接突起４３（図３）の上方位置へ向けて、開動作連結部を構成する当接突起５５が突出形成されている。図３に示すスライド扉２の閉鎖状態では、第１リンク部材４と第２リンク部材５の両当接突起４３，５５は上下方向で所定寸法離れて位置している。
【００３１】
第２リンク部材５の軸部５１の他方の側には、周方向の一箇所から径方向外方へ向け、スライド扉２の閉鎖状態時における（図４参照）、第１リンク部材４の上記当接突起４５のロック当接面４５ｂに向けて、閉動作連結部とロック連結部とが連続して形成された当接突起５６が延出している。上記当接突起５６は、基部５１を基点として、上方に向けて延びる板状本体５３とは反対方向である下方の前方に向けて延びるように形成されている。そして、当接突起５６の屈曲する上面５６ａは閉動作当接面となり、これに連続して上下方向の下方向へ延びる先端面（図４ 参照）がロック当接面５６ｂとなっている。図４に示すスライド扉２の閉鎖状態では、第１リンク部材４と第２リンク部材５の両当接突起４５，５６のロック当接面４５ｂ，５６ｂが、その当接面が上下方向に向けて延びるように（第１リンク部材４の進退移動方向と略平行な方向に向けて）互いに当接している。
【００３２】
以上に説明したスライド扉２が閉鎖されている状態では、ロック当接面４５ｂ,５６ｂが互いに当接して（図４）、ロック連結部が連結されていることにより、第２リンク部材５の回動が阻止されている。これによって、不正行為等でスライド扉２を強制開放しようとしてもこれが開放されることはない。また、この時、開動作連結部を構成する当接突起４３，５５は上下に所定寸法離れた位置にあり連結されていない。加えて、不正にスライド扉２を強制開放させようとする力が、スライド扉２を経由して、第２リンク部材５を回動移動（図３において、反時計方向の回動移動）させるような力として作用したとしても、当接突起５５の回動移動方向側である上方側位置には、第１リンク部材４と第２リンク部材５とを連結させる連結構造が全く形成されていないので、第１リンク部材４が開動作方向（上方向）へ向けてスライド移動することは阻止される。このような構成によっても、スライド扉２の開放は確実に回避される。
【００３３】
遊技において、大当り等の特別遊技が発生し、スライド扉２を開放作動させる場合には、ソレノイド３に通電するとプランジャ３１が後退移動（上方スライド移動）させられて、これに伴い第１リンク部材４が上昇（上方スライド移動）させられる。このとき、ロック当接面４５ｂ、５６ｂにおける上下方向の当接寸法値が、当接突起４３、５５の間に形成される隙間領域の上下方向の寸法値よりも小さくなるように寸法設定されている。これにより、この上昇移動の過程で、最初にロック当接面４５ｂ、５６ｂ同士の当接状態が解消されて（図９）ロック連結部が連結解除された後に、当接突起４３が当接突起５５に当接して（図８）開動作連結部が連結される動作が確実に形成される。これにより、スライド扉２の開放動作の過程において、ロック連結部の連結状態が不適切に連結維持されるのを確実に防止しながらスライド扉２の開放動作を行うことができ、安定したスライド扉２の開放動作を行うことができる。そして、その後第２リンク部材５が回動させられてスライド扉２が後退開放させられる。
また、上記上昇移動の過程で、第１リンク部材４の先端部４２の縦壁部４６(図２)が、第２リンク部材５に形成される切欠き５１１内に向けて進入するように上昇移動をする。このとき、縦壁部４６は、後方へ向けて回動移動を行う切欠き５１１内に向けて進入するが、その一連の動作の過程で、切欠き５１１の逆Ｕ字状の壁部と縦壁部４６の外周壁部とが当接しないよう、上記両壁部間に若干の間隙を保ちつつ進入するように形成されている。このように構成することにより、装置ケース６（可変入賞装置Ｅ全体）における、特に上下方向の寸法構成を更にコンパクトに形成しつつ、安定したスライド扉の開放動作が行われるように形成することができる。なお、上記スライド扉２の開放動作は、その本体部２２の後壁面の一部が取付けベース板１４の奥側位置に別途形成されたストッバ部（図示略）に当接することにより上記スライド扉２の扉開放位置が確定される。
【００３４】
スライド扉２を再び閉鎖する場合にはソレノイド３への通電を停止（無励磁状態）すると、バネ部材の付勢力によってプランジャ３１が進出（下方スライド移動）させられ、第１リンク部材４が下降（下方スライド移動）させられる。この過程で、最初に第１リンク部材４の当接突起４５下端面の閉動作当接面４５ａが第２リンク部材５の当接突起５６上面の閉動作当接面５６ａに当接して、すなわち開動作連結部が連結されて、第２リンク部材５が戻り回動させられ、これに伴ってスライド扉２が進出閉鎖させられる。
【００３５】
スライド扉２が閉鎖状態になる過程（又は、なった後）で、当接突起４５は当接突起５６の上面を経てこれに隣接する先端面に至る。これにより閉動作連結部の連結が解除された後に、ロック当接面４５ｂ、５６ｂ同士が互いに当接可能な状態となり、再びロック連結部が連結可能な状態となる（図４）。なお、ここで上記一連のスライド扉２の閉じ動作の過程で、上述した第２リンク部材５の自重による回動移動の作用等により、上記当接突起４３と当接突起５５とが当接状態になる場合が想定されるが、この当接は、駆動源の駆動力に直接的には作用されずに、偶発的な作用で、本来の目的とは異なって発生した連結である。そして、上記ロック当接面４５ｂ、５６ｂが、再びロック連結可能な状態となることにより、外力によるスライド扉２の不正な強制開放が、再び確実に阻止される。
【符号の説明】
【００３６】
２…スライド扉、３…ソレノイド（駆動源）、３１…プランジャ、４…第１リンク部材、４２…先端部、４３…当接突起（開動作連結部）、４５…当接突起、４５ａ…閉動作当接面（閉動作連結部），４５ｂ…ロック当接面（ロック連結部）、５…第２リンク部材、５１…基部（軸部）、５１１…切欠き、５５…当接突起（開動作連結部）、５６…当接突起、５６ａ…閉動作当接面（閉動作連結部）、５６ｂ…ロック当接面（ロック連結部）、６…装置ケース、６２…ガイド孔（ガイド部）。
【図１】
2014124469.tif 000003
【図２】
2014124469.tif 000004
【図３】
2014124469.tif 000005
【図４】
2014124469.tif 000006
【図５】
2014124469.tif 000007
【図６】
2014124469.tif 000008
【図７】
2014124469.tif 000009
【図８】
2014124469.tif 000010
【図９】
2014124469.tif 000011